【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
内部を第１流体が通過する、扁平状断面を成して積層される複数のチューブ（１１０）と、
積層された前記複数のチューブ（１１０）の外部を覆うように配設された外方部（１３１）と、
前記チューブ（１１０）が積層される際に互いに対向する対向面（１１１）の間に形成され、第２流体が前記チューブ（１１０）の外側を流通する流路（１１５）と、
前記外方部（１３１）に接続され、前記外方部（１３１）の内部に第２流体を流入させる流入部（１４１）と、
前記外方部（１３１）に接続され、前記外方部（１３１）の内部から前記第２流体を流出させる流出部（１４２）と、
前記チューブ（１１０）の端部側において、積層された前記複数のチューブの外周に当接して接合され、前記チューブ（１１０）の内部と連通し、前記第１流体が通過するタンク（１５１、１５２）とを有し、
前記チューブ（１１０）の外側を流通する前記第２流体と前記第１流体との間で熱交換する熱交換器において、
前記チューブ（１１０）の、前記タンク（１５１、１５２）との接合部に形成され、前記対向面（１１１）から外方へ突出し、前記第１流体と前記第２流体が流通する領域を区画する凸部（１１２）と、
前記対向面（１１１）の長辺側に形成され、前記凸部（１１２）に対して凹状となる凹部（１１３）とを有し、
前記流入部（１４１）または前記流出部（１４２）が前記凹部（１１３）と対向するように配されることを特徴とする熱交換器。
【請求項２】
前記対向面（１１１）のうち前記第２流体の流れ上流側に対応する部位であって、
前記凹部側となる位置において、前記チューブの短辺側に沿って延びるように、前記対向面（１１１）から外方へと突出して形成される整流手段（１１７）を有することを特徴とする請求項１に記載の熱交換器。
【請求項３】
前記流入部（１４１）または前記流出部（１４２）が接続される前記外方部（１３１）の部位と前記チューブ（１１０）との間には隙間（１３３a ）が形成されていることを特徴とする請求項１または２に記載の熱交換器。
【手続補正２】
【補正対象書類名】明細書
【補正対象項目名】０００８
【補正方法】変更
【補正の内容】
【０００８】
請求項１に記載の発明では、内部を第１流体が通過する、扁平状断面を成して積層される複数のチューブ（１１０）と、積層された複数のチューブ（１１０）の外部を覆うように配設された外方部（１３１）と、チューブ（１１０）が積層される際に互いに対向する対向面（１１１）の間に形成され、第２流体がチューブ（１１０）の外側を流通する流路（１１５）と、外方部（１３１）に接続され、外方部（１３１）の内部に第２流体を流入させる流入部（１４１）と、外方部（１３１）に接続され、外方部（１３１）の内部から第２流体を流出させる流出部（１４２）と、チューブ（１１０）の端部側において、積層された複数のチューブの外周に当接して接合され、チューブ（１１０）の内部と連通し、第１流体が通過するタンク（１５１、１５２）とを有し、チューブ（１１０）の外側を流通する第２流体と前記第１流体との間で熱交換する熱交換器において、チューブ（１１０）の、タンク（１５１、１５２）との接合部に形成され、対向面（１１１）から外方へ突出し、第１流体と第２流体が流通する領域を区画する凸部（１１２）と、対向面（１１１）の長辺側に形成され、凸部（１１２）に対して凹状となる凹部（１１３）とを有し、流入部（１４１）または流出部（１４２）が凹部（１１３）と対向するように配されることを特徴としている。
【手続補正３】
【補正対象書類名】明細書
【補正対象項目名】００１０
【補正方法】変更
【補正の内容】
【００１０】
請求項２に記載の発明では、対向面（１１１）のうち第２流体の流れ上流側に対応する部位であって、凹部側となる位置において、チューブの短辺側に沿って延びるように、対向面（１１１）から外方へと突出して形成される整流手段（１１７）を有することを特徴としている。
【手続補正４】
【補正対象書類名】明細書
【補正対象項目名】００１１
【補正方法】変更
【補正の内容】
【００１１】
これにより、第２流体の流通する流路（１１５）において、第１流体流れの上流側に対応する部位において第２流体流れの淀みの発生を抑制でき、第２流体が過度に熱交換されることを防止することができる。
【手続補正５】
【補正対象書類名】明細書
【補正対象項目名】００１２
【補正方法】変更
【補正の内容】
【００１２】
請求項３に記載の発明では、流入部（１４１）または流出部（１４２）が接続される外方部（１３１）の部位とチューブ（１１０）との間には隙間（１３３a ）が形成されていることを特徴としている。
【手続補正６】
【補正対象書類名】明細書
【補正対象項目名】００１３
【補正方法】変更
【補正の内容】
【００１３】
これにより、第２流体が流路（１１５）に対して流入・流出する際の拡大ロス、あるいは縮小ロスを低減でき、第２流体の圧力損失を低減して、熱交換性能を向上させることができる。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】